(57)【要約】【課題】アタッチメント部材を用いた固定ベルトによる被検体の固定と、固定ベルトのみによる被検体の固定との双方を可能にする被検体固定装置を提供する。【解決手段】被検体が載る寝台装置の天板やマットとアタッチメント部材との間に帯状部材を配置し、固定ベルトとアタッチメント部材とが連結された状態で、固定ベルトと帯状部材とを連結する手段（面ファスナ）を設ける。この連結手段によって固定ベルトと帯状部材とが連結されている状態では、固定ベルトに係る負荷はアタッチメント部材にかかることはない。帯状部材は、アタッチメント部材と一体的に設けてもよいし、寝台側に設けてもよいし、寝台が帯状部材に相当する部材を備える場合には、それを利用することも可能である。【選択図】図２
2019042406.tif 000002
【特許請求の範囲】
【請求項１】
医用撮像装置の寝台に設けられる被検体固定装置であって、
前記寝台の長手方向に沿って前記寝台の短手方向の両側に固定されたアタッチメント部材と、
長手方向の一端に、前記アタッチメント部材の端部に設けられた受け部にスライド可能に係合するコマ部を有し、長手方向の他端に、互いに連結する連結部を有する一対の固定ベルトと、
前記アタッチメント部材より被検体に近い位置に、前記寝台の長手方向に沿って設けられた帯状部材と、を備え、
前記一対の固定ベルトを連結したときに内側となる前記固定ベルトの面と、前記帯状部材の外側となる面とに、互いを着脱可能にする面ファスナが固定され、
固定ベルト側の面ファスナは、前記固定ベルトが前記アタッチメント部材に係合し且つ前記帯状部材と平行となる位置では、帯状部材側の面ファスナとは対面しない位置に固定されていることを特徴とする被検体固定装置。
【請求項２】
請求項１に記載の被検体固定装置であって、
前記帯状部材と前記アタッチメント部材とは、前記寝台に固定される端部において連結されていることを特徴とする被検体固定装置。
【請求項３】
請求項１に記載の被検体固定装置であって、
前記寝台は、天板と、前記天板の上面に固定されるマットと、を有し、
前記帯状部材は、前記マットの端部に固定されており、
前記マットに固定された前記帯状部材の端部を、前記天板の下面に対し固定する固定部材をさらに備えることを特徴とする被検体固定装置。
【請求項４】
請求項１に記載の被検体固定装置であって、
前記寝台は、天板と、前記天板の上面に固定されるマットと、を有し、
前記帯状部材は、一端が前記天板と前記マットとの間に着脱可能に固定されており、
前記固定された前記帯状部材の端部を、前記天板の下面に対し固定する固定部材をさらに備えることを特徴とする被検体固定装置。
【請求項５】
請求項３又は４に記載の被検体固定装置であって、
前記固定部材の、前記帯状部材の端部を固定する面に、前記帯状部材の面に固定された面ファスナに着脱可能な面ファスナが固定され、前記固定部材は面ファスナを介して前記帯状部材の端部に固定されることを特徴とする被検体固定装置。
【請求項６】
請求項１に記載の被検体固定装置であって、
前記帯状部材は、一端が前記寝台に固定され、
前記アタッチメント部材は、前記帯状部材に対し着脱可能に固定されることを特徴とする被検体固定装置。
【請求項７】
請求項６に記載の被検体固定装置であって、
前記帯状部材は、前記寝台の天板に対し、面ファスナにより着脱可能に固定されることを特徴とする被検体固定装置。
【請求項８】
基台と、
前記基台の上に移動可能に固定された天板と、
前記天板の上に配置されるマットと、
前記天板の長手方向に沿って前記天板の短手方向の両側に固定されたアタッチメント部材と、
長手方向の一端に、前記アタッチメント部材の端部に設けられた受け部にスライド可能に係合するコマ部を有し、長手方向の他端に、互いに連結する連結部を有する一対の固定ベルトと、
前記アタッチメント部材より内側に、前記天板の長手方向に沿って設けられた帯状部材と、を備え、
前記一対の固定ベルトを連結したときに内側となる前記固定ベルトの面と、前記帯状部材の外側となる面とに、互いを着脱可能にする面ファスナが固定され、
固定ベルト側の面ファスナは、前記固定ベルトが前記アタッチメント部材に係合し且つ前記帯状部材と平行となる位置では、帯状部材側の面ファスナとは対面しない位置に固定されていることを特徴とする寝台装置。
【発明の詳細な説明】
【技術分野】
【０００１】
この発明は、医用画像診断装置において、被検体を乗せる寝台装置に係り、特に寝台の天板の上に被検体を固定するための装置に関する。
【背景技術】
【０００２】
Ｘ線ＣＴ装置やＭＲＩ装置などの医用画像診断装置では、被検体をその長手方向（体軸方向）に沿って移動させて撮像空間に搬入するための寝台装置が備えられている。撮像時に被検体が動かないように固定するために、寝台装置には、被検体を寝台装置に固定する固定ベルトなどの固定具が備えられている。
【０００３】
固定ベルトは、多様な体型の被検体に対応するため、通常、寝台の両側に一端が固定された一対の固定ベルトからなり、固定ベルトの他端に面ファスナが固着され、面ファスナによる締結位置を被検体に合わせて調整できるようになっている。また寝台装置の固定ベルト固定部分に固定ベルトを摺動可能に支持するアタッチメント部材を取り付け、固定ベルトの寝台長手方向の固定位置を変更できるようにしている（例えば、特許文献１）。
【先行技術文献】
【特許文献】
【０００４】
【特許文献１】特開２０００−２７９４６０号公報
【発明の開示】
【発明が解決しようとする課題】
【０００５】
医用画像寝台装置は、被検体の意識がある場合だけでなく、意識がない場合にも利用される。被検体の意識がある場合には、アタッチメント部材と固定ベルトに大きな負荷はかからないが、被検体の意識がない場合は想定以上の大きな負荷がかかる場合がある。アタッチメント部材によって固定ベルトを固定したタイプの寝台装置では、大きな負荷で固定ベルトが引っ張られた場合、アタッチメント部材が変形したり破損したりするおそれがある。そのため、被検体に意識がないなど固定具に大きな負荷がかかることが予想される場合には、アタッチメント部材とそれに嵌合する固定ベルトを寝台装置から取り外し、別途、面ファスナを取り付けた固定ベルトで固定する必要がある。このような作業は、作業性が悪く、手間と時間を要する。
【０００６】
そこで本発明は、アタッチメント部材とそれに嵌合する固定ベルトとの取り外し作業を不要とし、アタッチメント部材を用いた固定ベルトによる被検体の固定と、固定ベルトのみによる被検体の固定との双方を可能にする被検体固定装置を提供することを課題とする。
【課題を解決するための手段】
【０００７】
上記課題を解決するため、本発明の被検体固定装置は、被検体が載る寝台装置の天板やマットとアタッチメント部材との間に帯状部材を配置し、固定ベルトとアタッチメント部材とが連結された状態で、固定ベルトと帯状部材とを連結する手段（面ファスナ）を設ける。この連結手段によって固定ベルトと帯状部材とが連結されている状態では、固定ベルトに係る負荷はアタッチメント部材にかかることはない。帯状部材は、アタッチメント部材と一体的に設けてもよいし、寝台側に設けてもよいし、寝台が帯状部材に相当する部材を備える場合には、それを利用することも可能である。
【０００８】
すなわち、本発明の一つの態様は、医用撮像装置の寝台に設けられる被検体固定装置であり、前記寝台の長手方向に沿って前記寝台の短手方向の両側に固定されたアタッチメント部材と、長手方向の一端に、前記アタッチメント部材の端部に設けられた受け部にスライド可能に嵌合するコマ部を有し、長手方向の他端に、互いに連結する連結部を有する一対の固定ベルトと、前記アタッチメント部材より内側に、前記寝台の長手方向に沿って設けられた帯状部材と、を備える。この被検体固定装置は、前記一対の固定ベルトを連結したときに内側となる前記固定ベルトの面と、前記帯状部材の外側となる面とに、互いを着脱可能にする面ファスナが固定され、固定ベルト側の面ファスナは、前記固定ベルトが前記アタッチメント部材に係合し且つ前記帯状部材と平行となる位置では、帯状部材側の面ファスナとは対面しない位置に固定されている。
【０００９】
また本発明の別の態様は、基台と、前記基台の上に移動可能に固定された天板と、前記天板の上に配置されるマットと、前記天板の長手方向に沿って前記天板の短手方向の両側に固定されたアタッチメント部材と、長手方向の一端に、前記アタッチメント部材の端部に設けられた受け部にスライド可能に嵌合するコマ部を有し、長手方向の他端に、互いに連結する連結部を有する一対の固定ベルトと、前記アタッチメント部材より内側に、前記天板の長手方向に沿って設けられた帯状部材と、を備える寝台装置である。この寝台装置は、前記一対の固定ベルトを連結したときに内側となる前記固定ベルトの面と、前記帯状部材の外側となる面とに、互いを着脱可能にする面ファスナが固定され、固定ベルト側の面ファスナは、前記固定ベルトが前記アタッチメント部材に係合し且つ前記帯状部材と平行となる位置では、帯状部材側の面ファスナとは対面しない位置に固定されている。
【発明の効果】
【００１０】
本発明の被検体固定装置によれば、アタッチメント部材を用いた固定ベルトによる被検体の固定と、固定ベルトのみによる被検体の固定との双方が可能であり、且つ固定ベルトによる固定時にアタッチメント部材とそれに嵌合する固定ベルトとの取り外し作業が不要となる。
【図面の簡単な説明】
【００１１】
【図１】本発明が適用される寝台装置の一実施形態を示す図。
【図２】第一実施形態の寝台装置及び被検体固定装置の断面図。
【図３】第二実施形態の寝台装置及び被検体固定装置の要部を示す斜視図。
【図４】（ａ）、（ｂ）は、それぞれ、第二実施形態の被検体固定装置の使用状態を示す図。
【図５】固定ベルト側の面ファスナと帯状部材側の面ファスナとの関係を説明する図。
【図６】固定ベルト側の面ファスナと帯状部材側の面ファスナとが接合された状態を示す図。
【図７】（ａ）は第三実施形態の被検体固定装置の要部を示す斜視図、（ｂ）はマット固定バンドの断面図。
【図８】第四実施形態の被検体固定装置の要部を示す図。
【図９】変形例の被検体固定装置の要部を示す図。
【発明を実施するための形態】
【００１２】
以下、本発明の被検体固定装置の実施形態を、図面を参照して説明する。
本発明の被検体固定装置は、Ｘ線ＣＴ装置、ＭＲＩ装置、ＰＥＴ装置など、ガントリで囲まれる撮像空間を持ち、当該撮像空間に被検体を搬入できる構造の寝台装置であれば、モダリティの種類に関わらず適用可能である。
【００１３】
＜第一実施形態＞
一例として、Ｘ線ＣＴ装置用の寝台装置に適用した実施形態を説明する。図１に示すように、この寝台装置１００は、被検体（不図示）が載る天板１１と、天板１１を支持する基台１０と、天板１１の上に配置されるマット１２とを備える。基台１０には、例えば天板１１を垂直方向に昇降する機構や、長手方向に沿って水平移動する機構や、必要に応じて天板１１の短手方向に沿って移動する機構などが備えられている。なお以下の説明において、天板１１の短手方向を左右方向ともいう。
【００１４】
基台１０の天板１１を受ける部分１３は、左右方向の幅が天板１１の左右方向の幅よりも広く、上面に凹みが形成されており、その凹みに天板１１の下部が収納されている。寝台装置１００を医用画像診断装置に接続した状態で、天板１１を凹みに沿って移動させることで、天板１１とその上に載せられた被検体を医用画像診断装置の撮像空間に搬入することができる。
【００１５】
寝台装置１００には、さらに、天板１１上に被検体を固定するための被検体固定装置（以下、単に固定装置ともいう）が備えられている。固定装置は、天板１１の左右方向の両側に、その長手方向に沿って固定されるアタッチメント部材（図１では不図示）と、アタッチメント部材の任意の位置に固定される複数対の固定ベルト２０とを備える。図１では、３対の固定ベルト２０を示すが、固定ベルト２０の数は３対に限定されない。また図１では、固定ベルト２０は、天板１１より外側に展開している状態を示しているが、使用状態では、天板１１に載せられた被検体の上で左右一対の固定ベルトを締結し、被検体を固定する。
【００１６】
アタッチメント部材３０は、図２及び図３に示すように、長手方向に沿った一端に固定ベルト２０の端部が嵌合する受け部３１が設けられた細長い部材で、受け部３１が設けられた端部と反対側の端部が、寝台装置（天板１１）に着脱自在に固定される。受け部３１は、上部に細い開口を持ち、内部が空隙となった断面リング形状の細長い部分で構成される。
【００１７】
固定ベルト２０の端部には、アタッチメント部材３０の受け部３１に嵌合するコマ２１が固定されており、このコマ２１を受け部３１の端部から嵌め込むことにより、固定ベルト２０を受け部３１内部の空隙に沿って移動（摺動）させることができる。これにより天板１１の長手方向の任意の位置に固定ベルト２０を位置づけることができる。アタッチメント部材３０の受け部３１と固定ベルト２０の端部に固定されたコマ２１とを併せて、嵌合部２５と言う。
【００１８】
また、本実施形態では、一対の固定ベルト２０を連結する手段として、被検体を覆うように互いの端部を重ねたときに、その向かい合う面に、互いに対となる面ファスナ５０の一方（５０Ａ）と他方（５０Ｂ）とがそれぞれ縫製などにより固着されている。これにより、被検体を固定ベルト２０で覆った状態で、面ファスナ５０を閉じることで、被検体が不用意に動かないように固定することができる。固定ベルト２０どうしを連結する手段は面ファスナ５０に限定されるものではないが、体型の違いに対応しやすく且つ作業性がよいという点で面ファスナ５０が好適である。
【００１９】
なお面ファスナは、よく知らせているように、一面に細かいパイプが形成されたシート（パイプシート）と一面に多数のフックが形成されたシート（フックシート）とを貼り合わせることで、フックがパイプに食い込み一体化し（接着し）、両シートを引き離す力を加えるとフックがパイプから外れる着脱自在な部材であり、本明細書では両者を区別しないときに一つの符号で示し、パイプシート及びフックシートの一方を示す場合に、同一の符号にＡまたはＢを付して示す。
【００２０】
被検体固定装置は、さらに、固定ベルト２０を被検体（或いは天板）側に曲げた状態において、アタッチメント部材３０よりも内側即ち被検体側となる位置に、帯状部材２３を有している。図１に示すように、固定ベルト２０を被検体と反対側に開いた状態では、帯状部材２３は、アタッチメント部材３０の上部に位置する。帯状部材２３には、アタッチメント部材３０とは別な位置で固定ベルト２０を固定するための固定ベルト用連結手段が備えられ、固定ベルト２０側にも帯状部材２３側の連結手段と連結する手段が備えられている。具体的には、帯状部材２３の外側となる面（アタッチメント部材３０に対向する面）に面ファスナ５１Ａが固着され、固定ベルトの内側となる面（被検体に対向する面）に帯状部材２３側の面ファスナ５１Ａと対になる面ファスナ５１Ｂが固着されている。固定ベルト２０側の面ファスナ５１Ｂは、固定ベルト２０がアタッチメント部材３０に係合し且つ帯状部材３０と平行となる位置では、帯状部材３０側の面ファスナ５１Ａとは対面しない位置に固定されている。
【００２１】
このような構成において、本実施形態の被検体固定装置は、通常の使用形態では、アタッチメント部材３０と固定ベルト２０とを嵌合部２５により連結した状態で、固定ベルト２０（図２：２０Ｌ、２０Ｒ）同士を連結して被検体を固定するが、大きな負荷がかかることが予想される場合等には、嵌合部２５による連結状態はそのままで、アタッチメント部材３０の内側にある帯状部材２３と固定ベルト２０とを面ファスナ５１により連結する。これにより、状況に応じて、アタッチメント部材３０等の取り外しなどの作業をすることなく、作業性良く被検体固定作業を行うことができる。
【００２２】
上述したように帯状部材２３は、アタッチメント部材３０とは別に固定ベルト２０を固定する手段として機能するものであるが、帯状部材２３は、固定ベルト２０を固定する機能に加えて、それ以外の機能を有してもよく、また本来別の機能を有する部材に固定ベルト２０との連結機能を追加し、帯状部材２３としてもよい。
【００２３】
本発明によれば、通常の使用においては、寝台の両側においてアタッチメント部材に連結された固定ベルトをそのまま用いて、固定ベルトどうしを連結して被検体を固定する。この際、固定ベルトの内側の面ファスナと帯状部材外側の面ファスナとは、固定ベルトの長手方向に沿って重ならない位置にあるので、両者の接触により作業性が阻害されることはない。一方、固定ベルトに大きな負担が予想される場合は、アタッチメント部材と固定ベルトとの連結はそのままの状態で、固定ベルトの内側の面ファスナと帯状部材外側の面ファスナとで固定ベルトを帯状部材に連結し、固定ベルトにて被検体を固定する。この状態では、アタッチメント部材と固定ベルトとの嵌合部は帯状部材と固定ベルトとの連結部より外側に位置し、固定ベルトにかかる負荷がこの嵌合部にかかることはない。これにより、いずれの作業時においても操作性がよく、且つアタッチメント部材やその嵌合部を変形したり破損したりすることを防止することができる。
【００２４】
以下、本実施形態を基本として、帯状部材２３の構成や機能が異なる実施形態を説明する。以下の実施形態において、共通する部材の名称や符号は同一のものを使用し、重複する説明は省略する。
【００２５】
＜第二実施形態＞
本実施形態は、アタッチメント部材と帯状部材とを一体的に構成した実施形態であり、帯状部材は、アタッチメント部材と固定ベルトとが連結された部分（嵌合部）が直接被検体に接触しないように、嵌合部及び被検体を保護する保護部として機能するとともに、被検体の腕などに巻き込んで、その動きを止める働きをする。
【００２６】
寝台装置の構造は第一実施形態と同様であり、以下、再度図１〜図３を参照して、本実施形態の被検体固定装置を説明する。
【００２７】
本実施形態の被検体固定装置は、基本的に第一実施形態の被検体固定装置と同様の構造を有し、固定ベルト２０とアタッチメント部材３０とを備え、固定ベルト２０の端部に固定されたコマ２１を、アタッチメント部材３０の端部に固定された受け部３１に嵌合することにより両者が連結される。このような固定ベルト２０とアタッチメント部材３０とは、寝台装置１００の両側に一対配置され、左右の固定ベルト２０（２０Ｌ、２０Ｒ）は、互いに対向する面に、縫製、接着剤を用いた接着等によって面ファスナ５０を固着し、この面ファスナ５０を結合することにより締結され、被検体を固定する。なお左右の固定ベルト２０Ｌ、２０Ｒは、一部の構成を除いて左右対称であり、特に区別しないときは固定ベルト２０として説明する。
【００２８】
アタッチメント部材３０は、弾性のある概ね断面Ｌ字形状の細長い部材で、Ｌ字の屈曲部近傍（枝分かれ部）で枝分かれして、寝台装置の天板側（以下、内側といい、その反対側を外側という）に保護部３５（帯状部材）を有し、外側に、受け部３１を備えたアタッチメント部３３を有している。枝分かれしていない部分の内側には、寝台装置１００にアタッチメント部材３０を固定するための面ファスナ５２Ａが固着されており、寝台装置側、例えば天板１１の裏面には面ファスナ５２Ｂが固着されている。面ファスナ５２の結合によりアタッチメント部材３０は、寝台装置に対し連結される。
【００２９】
アタッチメント部３３の構造は、第一実施形態で説明したアタッチメント部材３０の構造と同様であり、固定ベルト２０の端部に固定されたコマ２１を摺動自在に支持する受け部３１が端部に固定されている。
【００３０】
保護部３５は、枝分かれ部からの長さが、アタッチメント部３３の枝分かれ部からの長さより長く、アタッチメント部３３の受け部３１に固定ベルト２０を連結したときに、被検体から見て、その嵌合部２５（受け部３１とそれに連結されたコマ２１）を覆うように構成されている。これにより、例えば被検体の体液や血液等が嵌合部に触れないように保護する。また保護部３５は、固定ベルト２０と同様に可撓性のある材料からなり、図４（ａ）に示すように、被検体４０の腕４１に巻きつけることで、腕４１の動きを制限し固定することができる。
【００３１】
さらに保護部３５の外側には、図５に示すように、その長手方向に沿って、面ファスナ５１Ａが固着されている。一方、固定ベルト２０の内側となる面には、面ファスナ５１Ｂが固着されている。この面ファスナ５１Ｂが固着される位置は、固定ベルト２０をアタッチメント部３３に連結した状態で、上方或いは被検体側に引き上げたとき、即ち固定ベルト２０と帯状部材とが平行な状態で、面ファスナ５１Ｂと面ファスナ５１Ａが接触することがない位置とする。また、図６に示すように、面ファスナ５１Ｂと面ファスナ５１Ａを連結したときに、使用可能な固定ベルト２０の長さを確保することができ且つ嵌合部２５が寝台装置１００からはみ出さない位置とする。なお、左右の固定ベルト２０を連結するための面ファスナ５０が、内側となる面に固定されている固定ベルト２０（例えば図２の固定ベルト２０Ｌ）については、図２に示すように、その面ファスナ５０Ｂを延長して、延長部を面ファスナ５１Ｂとしてもよい。
【００３２】
固定ベルト２０及びアタッチメント部材３０の材料は、特に限定されないが、Ｘ線ＣＴ装置用であれば、Ｘ線吸収係数の低いもの、ＭＲＩ装置であれば非磁性体が用いられる。具体的には、嵌合部２５を構成する受け部３１やコマ２１は、比較的剛性のある材料、具体的にはポリプロピレン等のプラスチックで構成することができる。それ以外の固定ベルト２０及びアタッチメント部材３０の部分は、塩化ビニル等や繊維強化プラスチックなどの可撓性のある材料を用いることができる。
【００３３】
本実施形態の被検体固定装置によれば、第一実施形態の被検体固定装置と同様に、固定ベルト２０及びアタッチメント部３３が連結された状態を保ったまま、通常の使用状態（図４（ａ））だけでなく、図４（ｂ）に示すように、固定ベルト２０と保護部３５とを連結して、予期せぬ負荷に備えた被検体固定を行うことができる。これにより作業にかかる手間を大幅に低減できる。また保護部３５によって嵌合部２５が保護されているので、嵌合部２５に汚れが付着するのを防止することができる。
【００３４】
＜第三実施形態＞
本実施形態は、天板にマットが設けられるとともに、マット固定用の固定バンドが設けられる寝台装置に本発明を適用した実施形態である。
【００３５】
まず本実施形態の寝台装置１１０の構造について、図７（ａ）、（ｂ）を参照して説明する。図７（ａ）は寝台装置１１０の一部を、その端面側から見た斜視図である。寝台装置１１０は、図１に示す寝台装置１００と同様に、基台１０と、天板１１と、天板１１の上に配置されるマット１２とを備える。
【００３６】
マット１２の長手方向に沿った両側には、ヒレ６０の端部が縫製、接着等の手段で固定されている。ヒレ６０は、第二実施形態の保護部３５と同様に、マット１２上に載せられた被検体の腕を抑えるために設けられる可撓性のある帯状の部材である。さらにマット１２には、マット１２の端部が天板１１から持ち上がらないようにするために、マット固定バンド７０が取り付けられる。マット固定バンド７０は、図７（ｂ）に詳細を示すように、シート状の部材７３からなり、その一端に、マット側に固定される固定部７１、他端に天板側に固定される第二固定部７２を形成した構造を有する。マット１２とマット固定バント７０との固定及び天板１１とマット固定バンド７０との固定は、いずれも面ファスナで行うことができ、図示する実施形態では、第一及び第二固定部７１、７２に固定された面ファスナ５３Ｂ、５４Ａと、ヒレ６０の外側に固定された面ファスナ５３Ａ及び天板１１の裏面に固定された面ファスナ５４Ｂとをそれぞれ連結することで、マット固定バンド７０が固定され、これによりマット１２が天板１１から離れないように固定される。
【００３７】
本実施形態の寝台装置１１０では、固定ベルト２０を固定するためのアタッチメント部材３０は、マット固定バンド７０を介して、天板１１の裏面に固定される。このためマット固定バンド７０の第二固定部７２は、面ファスナ５４Ａが固着された面と反対の面（外側）にアタッチメント部材３０を固定するための面ファスナ５２Ａが固着される。一方、アタッチメント部材３０は、保護部３５を有していない以外は、第二実施形態のアタッチメント部材３０と同様の構成を有し、一端には上述したマット固定バンド７０の第二固定部７２に面ファスナ５２Ａに固定される面ファスナ５２Ｂが固定されており、他端には固定ベルト２０のコマ２１が嵌合する受け部３１が設けられる。
【００３８】
本実施形態では、上述したヒレ６０及びマット固定バンド７０を、固定ベルト２０を連結するための帯状部材（２３）として利用する。固定ベルト２０の構成は第一及び第二実施形態と同様であり、その端部にコマ２１が固定されるとともに内側となる面に帯状部材２３と連結するための面ファスナ５１Ｂが固着されている。一方、ヒレ６０の外側となる面には、面ファスナ５１Ａが固着されている。面ファスナ５１Ａは、マット固定バンド７０の第一固定部７１に取り付けられた面ファスナ５３Ａを兼ねることができる。即ち一枚の面ファスナの一部（下側）が第一固定部７１として機能し、他の部分（上側）が固定ベルト２０を固定するための手段として機能する。
【００３９】
本実施形態の寝台装置１１０においても、使用方法は第二実施形態と同様であり、固定ベルト２０は、通常の使用形態では、嵌合部２５によりアタッチメント部材３０に連結し、左右の固定ベルト２０を締結する。このとき図４（ａ）に示したようにヒレ６０を被検体４０の腕４１に巻き込むように載せて腕を固定する。また固定ベルト２０をアタッチメント部材３０に連結した状態のまま内側の面ファスナ５１Ｂをヒレ６０の面ファスナ５１Ａと接着させることができ（図４（ｂ））、嵌合部２５にベルト締結時の負荷がかからない状態で固定ベルト２０を締結できる。
【００４０】
＜第四実施形態＞
第三実施形態は、寝台装置のマットに設けられたヒレを、固定ベルトを固定するための帯状部材として利用する実施形態であったが、本実施形態はヒレのないマットを備えた寝台装置に適用される被検体固定装置の実施形態であり、第三実施形態のマット固定バンド７０を帯状部材として利用する。
【００４１】
以下、第三実施形態と異なる点を中心に本実施形態の被検体固定装置の構造を説明する。図８に示すように、本実施形態の被検体固定装置は、固定ベルト２０と、アタッチメント部材３０と、マット固定バンド７５とを備える。固定ベルト２０及びアタッチメント部材３０の構成は、第三実施形態と同じであり、重複する説明は省略する。
【００４２】
マット固定バンド７５は、第三実施形態のマット固定バンド７０と同様に、シート状の部材７３の端部７２に天板側に固定される固定部（第二固定部７２に相当）を形成した構造（内側に面ファスナ５４Ａ、外側に面ファスナ５２Ａ）を有するが、反対側の端部７１（第一固定部７１に相当）は、外側となる面に固定バンド２０に固定された面ファスナ５１Ｂと対となる面ファスナ５１Ａが固着されている。また両端部間の長さは、第三実施形態のマット固定バンド７０よりも長く、マット固定バンド７５が、嵌合部２５を保護する保護部（第二実施形態の保護部３５）や被検体の腕を固定するヒレ（第三実施形態のヒレ６０）と同様の機能を持つように構成されている。
【００４３】
寝台装置は、第三実施形態の寝台装置１１０と同様に、天板１１の裏面にマット固定バンド７５を固定するための面ファスナ５４Ｂが固着されている。
本実施形態の被検体固定装置は、マット固定バンド７５を面ファスナ５４で、寝台装置に固定した後、アタッチメント部材３０を、面ファスナ５２を介してマット固定バンド７５に固定する。また固定ベルト２０は、コマ２１をアタッチメント部材３０の受け部３１に嵌合させて、アタッチメント部材３０に連結する。
【００４４】
使用形態は、上述した各実施形態と同様であるが、通常の使用状態では、マット固定バンド７５を第三実施形態のヒレ６０のように被検体の腕に巻きつけるようにして使用することができる。これにより被検体の捻転動作などがあってもマット１２が天板１１から外れるのが防止される。一方、アタッチメント部材３０の受け部３１を介さないで固定ベルト２０を締結するときは、マット固定バンド７５の端部の面ファスナ５１Ａを固定バンド２０の内側の面ファスナ５１Ｂと接合する。
【００４５】
本実施形態の被検体固定装置は、第二及び第三実施形態と同様の効果が得られ、且つ、被検体の血液等がマット固定バンド７５に付着し汚損した場合には、アタッチメント部材３０の交換の必要がなく、マット固定バンド７５のみの交換で対応することができる。
【００４６】
＜第三実施形態又は第四実施形態の変形例＞
第四実施形態では、寝台装置にヒレがない場合に、マット固定バンドを改良して、固定ベルトを固定するための帯状部材として機能するとともに保護部或いはヒレとして機能する構成としたが、本実施形態は、ヒレと同等の機能を持つ部材、バンドを寝台装置に取り付け、第三実施形態と同様の機能を持たせるものである。
【００４７】
本実施形態の被検体固定装置は、基本的に第三実施形態と同様であり、図９に示すように、コマ２１を備えた固定ベルト２０と、コマ２１の受け部３１を備えたアタッチメント部材３０と、マット固定バンド７０とを備える。これらの構成は第三実施形態と同様である。さらに本実施形態では、寝台装置１００の天板１１とマット１２との間に、長手方向に沿って、帯状部材であるバンド８０が着脱可能に固定される。バンド８０は、例えば、第三実施形態のヒレや固定ベルトと同様に可撓性のあるシート状の材料で構成することができる。バンド８０の寝台装置への固定方法は、特に限定されないが、面ファスナでもよいし、機械的に嵌合する構造でもよい。例えば、天板側に設けた凸部とマット側に設けた凹部が係合するものとし、凸部が貫通する穴をバンド８０に設けてもよい。
【００４８】
バンド８０の外側となる面には、固定ベルト２０に設けられた面ファスナ５１Ｂと対になる面ファスナ５１Ａが固着されている。この面ファスナ５１Ａは、一部がマット固定バンド７０の端部（第一固定部７１）の面ファスナ５３Ｂと接着する面ファスナ５３Ａとしても機能する（図７参照）。マット固定バンド７０及びアタッチメント部材３０の寝台装置への固定方法は第三実施形態と同様であり、面ファスナ５２及び面ファスナ５４により固定される。図９では互いに接合される関係にある面ファスナを両方向矢印で示している。
【００４９】
バンド８０はマット固定バンド７０と固定されることによって、マット１２およびバンド８０が天板１１から剥がれるのを防止するとともに、被検体の腕を固定するヒレとしてまた嵌合部を保護する保護部として機能する。また本実施形態によれば、バンド８０は寝台装置１１０から簡単に着脱可能であるので、第四実施形態と同様に、汚損時の交換が容易で且つバンドのみの交換で足りる。
【００５０】
以上、本発明をＸ線ＣＴ装置の寝台装置に適用した第一実施形態の被検体固定装置を中心に各実施形態を説明したが、図面に示した構造や形状は例示であって、本発明の要旨を変更しない限り、任意の変更が可能である。また一部の要素を省いたり、図示されていない要素を追加したりすることも本発明に包含される。
【符号の説明】
【００５１】
１０・・・基台、１１・・・天板、１２・・・マット、２０・・・固定ベルト、２１・・・コマ（嵌合部）、２３・・・帯状部材、３０・・・アタッチメント部材、３１・・・受け部（嵌合部）、３３・・・アタッチメント部、３５・・・保護部（帯状部材）、４０・・・被検体、５０〜５３・・・面ファスナ（連結する手段）、６０・・・ヒレ（帯状部材）、７０・・・マット固定バンド（帯状部材）、８０・・・バンド（帯状部材）、１００（１１０）・・・寝台装置。
【図１】
2019042406.tif 000003
【図２】
2019042406.tif 000004
【図３】
2019042406.tif 000005
【図４】
2019042406.tif 000006
【図５】
2019042406.tif 000007
【図６】
2019042406.tif 000008
【図７】
2019042406.tif 000009
【図８】
2019042406.tif 000010
【図９】
2019042406.tif 000011